(57)【要約】【課題】第１の被着体と第２の被着体とが接着剤の層を介して接合されていて、接着強度及び引張強度に優れた接合物品を、特別な処理設備を設けることなく、より簡単に、より短時間及びより低コストで提供すること。【解決手段】接合物品において、第１及び第２の被着体のうちの少なくとも一方の被着体の接合面が、被着体の成形に先がけて成形材料中に分散せしめられていた水溶性ポリビニルアルコール繊維の除去により形成された凹部に由来する粗面化面を有しており、かつ該凹部に接着剤が充填され、硬化せしめられているように構成する。【選択図】図２
2014073579.tif 000002
【特許請求の範囲】
【請求項１】
第１の合成樹脂をベース材料として成形された第１の被着体と、前記第１の合成樹脂と同一もしくは異なる第２の合成樹脂をベース材料として成形された第２の被着体とがそれらの接合面に適用された接着剤の層を介して接合され、一体化されている接合物品において、
前記第１及び第２の被着体のうちの少なくとも一方の被着体の接合面が、前記被着体の成形に先がけて前記ベース材料中に水溶性フィラーとして分散せしめられていた水溶性ポリビニルアルコール繊維の除去により形成された凹部に由来する粗面化面を有しており、該凹部に接着剤が充填され、硬化せしめられていることを特徴とする接合物品。
【請求項２】
前記水溶性ポリビニルアルコール繊維は、それを配合して成形された被着体において、０．１〜５ｍｍの長さをもった微細な細長い繊維の形態を有していることを特徴とする請求項１に記載の接合物品。
【請求項３】
前記水溶性ポリビニルアルコール繊維は、それを配合して成形された被着体の全量を基準にして、１０〜４０重量％の量で配合されていることを特徴とする請求項１又は２に記載の接合物品。
【請求項４】
自動車部品として使用されることを特徴とする請求項１〜３のいずれか１項に記載の接合物品。
【請求項５】
第１の合成樹脂をベース材料として成形された第１の被着体と、前記第１の合成樹脂と同一もしくは異なる第２の合成樹脂をベース材料として成形された第２の被着体とがそれらの接合面に適用された接着剤の層を介して接合され、一体化されている接合物品を製造するに当たって、
被着体の成形材料中でベース材料として使用される前記第１の合成樹脂及び前記第２の合成樹脂のうちの少なくとも一方に、水溶性ポリビニルアルコール繊維からなる水溶性フィラーを配合し、
前記第１の合成樹脂を含む成形材料及び前記第２の合成樹脂を含む成形材料を成形して、それぞれ、前記第１の被着体及び前記第２の被着体を形成し、
前記第１の被着体及び前記第２の被着体のうち、前記成形材料に水溶性フィラーを配合して得た被着体の少なくとも接合面に水を適用することで、前記接合面に露出した前記水溶性フィラーを水洗により除去して凹部を形成して前記接合面を粗面化し、
前記粗面化した表面を有する被着体と前記粗面化した表面を有するかもしくは有しない被着体とを両者の接合面で接着剤を介して、かつ前記凹部に接着剤を充填して、接合し、一体化すること
を特徴とする接合物品の製造方法。
【発明の詳細な説明】
【技術分野】
【０００１】
本発明は、アンカー効果を利用して強固に結合された接合物品とその製造方法に関する。さらに詳しく述べると、本発明は、接着強度に乏しい合成樹脂からなる被着体を他の被着体と接着剤を介して、かつ被着体のアンカー効果を利用して、強固に接合し、一体化してなる接合物品とその製造方法に関する。
【背景技術】
【０００２】
周知の通り、合成樹脂からなる被着体どうしを接合して一体化した物品、すなわち、接合物品を製造するとき、被着体どうしが強固に結合するのを補強するため、被着体の表面を物理的あるいは化学的に処理する手法が一般的に採用されている。例えば特許文献１は、物理的な処理として、ＦＲＰ製浴槽の底面をサンディングするなどして粗面化し、その表面に樹脂硬化層を高い付着強度で付着させることを教示している。さらに、特許文献１は、樹脂硬化層に水溶性粒子（グラニュー糖、砂糖など；粒径５０〜５００μｍ）を含ませることで、上記のようにして樹脂硬化層を形成した後、樹脂硬化層の表面に含まれる水溶性粒子を水で溶解除去することにより、凹凸面を形成して滑り止め処理を行うことを教示している。
【０００３】
化学的な処理としては、例えば、紫外線照射やプラズマ処理を挙げることができる。例えば、特許文献２は、プラスチック成形体の原料に予めポリフェニレンサルファイド（分子内に含まれる結合の切断が容易な物質）を添加しておいて、プラスチック成形体を形成した後、紫外線照射あるいはプラズマ処理を行うことで、ポリフェニレンサルファイドの炭素−硫黄結合の一部を切断するとともに硫黄に活性官能基を結合させ、この活性官能基を介してプラスチック成形体と接着剤との接合強度を増大させることを教示している。
【０００４】
また、特許文献３は、芯材にタイルを貼着した構造のタイルパネルを製造するとき、芯材の表面に複数のキノコ形状の凹部を形成して、凹部内に浸入した接着剤が楔の作用をすることでアンカー効果を得、タイルと芯材との間の接着強度を向上させる手法を教示している。
【０００５】
上記したように、合成樹脂からなる被着体から接合物品を製造するとき、接着強度を高めるために被着体の表面を物理的あるいは化学的に処理する手法が従来用いられている。しかしながら、従来のアンカー効果を発現させる表面処理法（紫外線照射、プラズマ処理等の化学的な表面処理、あるいはサンディング、穴あけ等の物理的な表面処理）は、煩雑であり、長時間の処理時間及び高額な処理費用を必要とし、さらには特別な処理設備を配置しなければならない。
【先行技術文献】
【特許文献】
【０００６】
【特許文献１】特開平６−１９８７３４号公報
【特許文献２】特開平７−２１６１０５号公報
【特許文献３】特開平７−１３９１２７号公報
【発明の概要】
【発明が解決しようとする課題】
【０００７】
本発明者らは、上記した問題点を解決するために鋭意研究した結果、第１の被着体と第２の被着体とをそれらの接合面に適用された接着剤の層を介して接合し、一体化するとき、被着体のうちの少なくとも一方の被着体のベース材料に、後段の工程で接合面で除去されるべき特定の水溶性フィラーを予め配合しておいて、被着体の成形に先がけて水溶性フィラーを除去することで被着体の接合面にアンカーとして作用する凹部を形成することが有効であるという知見を得、すでに特許出願した。この発明によれば、接合面の凹部に接着剤が充填され、硬化せしめられるので、接着強度に優れた接合物品を提供することができる。
【０００８】
ところで、本発明者らの最近の研究から、水溶性フィラーとして例えば塩化ナトリウム（ＮａＣｌ）のような水溶性金属塩の微細粒子を使用した場合、接着強度の向上を図ることができる一方で、塩化ナトリウムの充填量が増加するにつれて、引張強度で表される強度が徐々に低下してゆき、長期の使用期間にわたって一体化構造が維持されなければならない接合物品が途中で二つに分離してしまうという不具合が発現することを発見した。引張強度（ＭＰａ）の低下は、図１に示されるように、ＮａＣｌ充填量（重量％）が増加するとともに徐々に低下するものであるが、接合物品を長期間にわたって高い信頼性を伴って安定に使用することの観点から、接着強度の向上と同時に、引張強度の向上を達成することが望ましい。
【０００９】
したがって、本発明の目的は、接着強度に乏しい合成樹脂からなる被着体（プラスチック成形体）を他の被着体と接着剤を介して接合するに当たって、従来のアンカー効果を発現させる手法に依存することなく、かつ特別な処理設備を設けることなく、より簡単に、より短時間及びより低コストで、接着強度の向上及び引張強度の向上を同時に達成し得る方法を提供することにある。
【００１０】
また、本発明の目的は、特別な処理設備を設けることなく、より簡単に、より短時間及びより低コストで製造できる、接着強度及び引張強度の両面に優れた接合物品を提供することにある。
【課題を解決するための手段】
【００１１】
本発明者らは、水溶性フィラーとして塩化ナトリウムの微細粒子を使用した場合、充填量の増加につれて引張強度が低下することには、塩化ナトリウムの形状自体が無定形であり、樹脂の強度発現に寄与しないことに理由があるものと考え、塩化ナトリウムに代わりうる新規な水溶性フィラーの開発に努めた。その結果、予想外のことであったが、塩化ナトリウムのような水溶性金属塩の微細粒子に代えて、繊維状の水溶性フィラー、具体的には水溶性ポリビニルアルコール（以下、「ＰＶＡ」ともいう。）繊維を使用するのが有効であるという知見を得、本発明を完成した。
【００１２】
本発明は、一つの面において、第１の合成樹脂をベース材料として成形された第１の被着体と、前記第１の合成樹脂と同一もしくは異なる第２の合成樹脂をベース材料として成形された第２の被着体とがそれらの接合面に適用された接着剤の層を介して接合され、一体化されている接合物品において、
前記第１及び第２の被着体のうちの少なくとも一方の被着体の接合面が、前記被着体の成形に先がけて前記ベース材料中に水溶性フィラーとして分散せしめられていた水溶性ポリビニルアルコール繊維の除去により形成された凹部に由来する粗面化面を有しており、該凹部に接着剤が充填され、硬化せしめられていることを特徴とする接合物品にある。
【００１３】
また、本発明は、もう一つの面において、第１の合成樹脂をベース材料として成形された第１の被着体と、前記第１の合成樹脂と同一もしくは異なる第２の合成樹脂をベース材料として成形された第２の被着体とがそれらの接合面に適用された接着剤の層を介して接合され、一体化されている接合物品を製造するに当たって、
被着体の成形材料中でベース材料として使用される前記第１の合成樹脂及び前記第２の合成樹脂のうちの少なくとも一方に、水溶性ポリビニルアルコール繊維からなる水溶性フィラーを配合し、
前記第１の合成樹脂を含む成形材料及び前記第２の合成樹脂を含む成形材料を成形して、それぞれ、前記第１の被着体及び前記第２の被着体を形成し、
前記第１の被着体及び前記第２の被着体のうち、前記成形材料に水溶性フィラーを配合して得た被着体の少なくとも接合面に水を適用することで、前記接合面に露出した前記水溶性フィラーを水洗により除去して凹部を形成して前記接合面を粗面化し、
前記粗面化した表面を有する被着体と前記粗面化した表面を有するかもしくは有しない被着体とを両者の接合面で接着剤を介して、かつ前記凹部に接着剤を充填して、接合し、一体化すること
を特徴とする接合物品の製造方法にある。
【発明の効果】
【００１４】
以下で詳細に説明するように、本発明では、アンカー効果を発現させるために被着体の表面に凹凸を形成させ、粗面化を行う。粗面化は、得られた被着体の前駆体を水処理するだけで十分に達成可能であるので、処理が簡単であるばかりでなく、大量一括処理が可能となる。また、本発明では、被着体の表面に形成された無数の微細な凹部に接着剤が埋め込まれる結果、従来の技術では達成できなかった優れたアンカー効果を達成することができ、よって被着体どうしをより強固に接合することができ、接着強度の向上及び引張強度の向上を同時に達成することができる。よって、本発明によれば、特別な処理設備を設けることなく、より簡単に、より短時間及びより低コストで、接合強度に優れた接合物品を製造することができる。
【図面の簡単な説明】
【００１５】
【図１】水酸化ナトリウムを水溶性フィラーとして配合したときの、フィラーの充填量（重量％）と接合物品の引張強度（ＭＰａ）との関係をプロットしたグラフである。
【図２】本発明に従い被着体の表面に凹凸を形成させる前の状態（Ａ）及び凹凸を形成させた後の状態（Ｂ）を示した断面図である。
【図３】本発明に従い被着体どうしを接合してなる接合物品を模式的に示した断面図である。
【図４】水溶性フィラーの充填量（重量％）と接合物品のせん断強度（ＭＰａ）の関係をプロットしたグラフである。
【図５】水溶性フィラーの充填量（重量％）と接合物品の引張強度（ＭＰａ）の関係をプロットしたグラフである。
【発明を実施するための形態】
【００１６】
本発明では、上記したように、アンカー効果を発現させるために被着体の表面に凹凸を形成させ、粗面化を行う。粗面化のメカニズムは、図２（Ａ）及び（Ｂ）を参照して説明すると、次のようになる。
【００１７】
図２（Ａ）は、製造済みの被着体の前駆体（成形体）１’の断面図である。この段階では、前駆体であるため、成形体であるにもかかわらずその表面が粗面化されていない。前駆体１’は、被着体製造のための出発材料に予め「水溶性フィラー（水溶性ＰＶＡ繊維からなる充填材）」を配合しておいて、それを混練し、細断することで得られたペレットから製造されたものである。したがって、前駆体１’中には水溶性ＰＶＡ繊維２が分散せしめられている。
【００１８】
図２（Ａ）に示す前駆体１’を水で処理することによって、図２(Ｂ）に示す被着体１を得ることができる。被着体１は、図示されるように、その表面、すなわち、本発明において「接合面」１ａとして規定する表面において、水溶性ＰＶＡ繊維２の溶解に由来して形成された無数の微細な細長い凹部３を有している。凹部３は、図では簡略化された形で示されているけれども、実際には、微細な凹凸をもって粗面化された状態となっている。
【００１９】
ここで、接合面の「粗面化」は、製造済みの被着体の前駆体１’の接合面１ａに、例えば水洗、水中浸漬、水の噴射などにより水を適用することによって行うことができる。水の適用時、前駆体１’の表面のうち粗面化されることが望ましくない部分があるときには、任意のマスキング手段によりその表面を保護しておくことが推奨される。例えば、図２(Ｂ）では、接合面１ａ以外の部分をマスキングテープ４で覆って保護している。マスキングテープ４は、処理の完了後に容易に剥離除去することができる。前駆体１’中に水溶性ＰＶＡ２が分散しているので、その前駆体１’に水を適用すると、前駆体１’の接合面に露出していたＰＶＡ繊維２が洗い流され、除去されたＰＶＡ繊維２に由来するところの微細な細長い凹部３が接合面１ａに形成される。このとき、適用した水が前駆体の内部に浸透していって、内部に存在するＰＶＡ繊維２を洗い流して、凹部に対応する気泡を内部に分散した多孔質あるいは有孔の被着体を形成することはない。また、微細な凹部３は接合面に限って形成されるため、凹部３の形成に原因して、得られる被着体１の物性等が悪影響を被ることはない。凹部３が形成された結果、図示のように、粗面化された接合面１ａをもった被着体１が得られる。被着体１の接合面に形成された無数の微細な細長い凹部３には、後段の接合工程で接着剤（図示せず）が埋め込まれ、優れたアンカー効果を発揮することができる。
【００２０】
図３は、図２（Ｂ）に示す凹部３をもった被着体１どうしをそれらの接合面で接合して製造された接合物品１０を模式的に示した断面図である。なお、許容可能であるならば、図示の２つの被着体１の一方のみに、本発明に従い粗面化処理に由来する凹部３を形成してもよい。
【００２１】
２つの被着体１の接合面の間には接着剤層５が介在せしめられ、両者の一体的な結合を達成している。接着剤層５は、図示される通り、被着体１どうしを強固に接合すること加えて、凹部３に入り込むことで、優れたアンカー効果を発現している。なお、図３の例では、２つの被着体ともその接合面に凹部を有しているけれども、例えば極性があって良好な接着性を呈示し得る合成樹脂からなら被着体を一方の被着体として使用するのであるならば、その被着体は、アンカー効果を発現するための凹部を有していなくともよい。また、必要ならば、凹部を有しない被着体の接合面に、接着強度や引っ張り強度を高めるための任意の表面処理（例えば、接着剤に対する親水性処理、プラズマ処理等）を施してもよい。さらに、場合によっては、凹部を有していなくともよい合成樹脂製被着体の接着性と遜色ない接着性を呈示可能な被着体であるならば、合成樹脂製に限定されることなく、金属製、セラミック製等の被着体を同一目的で、凹部を有していない合成樹脂製被着体の代わりに、使用してもよい。
【００２２】
本発明による接合物品は、第１の合成樹脂からなる第１の被着体と、第１の合成樹脂と同一もしくは異なる第２の合成樹脂からなる第２の被着体とがそれらの接合面に適用された接着剤の層を介して接合され、一体化されてなる構成を有する。ここで、第１の被着体及び第２の被着体は、同一の合成樹脂から成形により形成されたものであってもよく、さもなければ、異なる合成樹脂から成形により形成されたものであってもよい。また、これらの被着体は、もしも被着体自身に本発明に従い粗面化処理を行うことを必要としない程度に十分に大きな接着性が備わっているのであるならば、そのような特性をもった合成樹脂製被着体に限って、本発明に従い接合面に対して粗面化処理を行わなくともよい。この目的に適当は合成樹脂としては、良好な接着性を確保するため、極性にすぐれた合成樹脂を挙げることができる。また、別法によれば、そのような粗面化処理を行っていない合成樹脂製被着体に代えて、良好な接着性を確保するため、極性にすぐれた他の材料、例えば鉄、ステンレス鋼、アルミニウム、銅などの金属やセラミックなどから形成された被着体を使用してもよい。
【００２３】
被着体は、それを合成樹脂から形成するとき、極性（接着性を有する）もしくは非極性（接着性を有しない）のいずれの合成樹脂からも形成することができ、使用する樹脂が特に限定されるというものではない。しかしながら、本発明では、本発明に従い粗面化処理を行うことで接合面の接着強度を増大できるという作用効果が期待されることから、非極性の合成樹脂を使用したときに本発明の有意性を発揮することができる。適当な非極性の樹脂として、以下に列挙するものに限定されるわけではないけれども、例えば、ポリプロピレン（ＰＰ）樹脂、ポリフェニレンサルファイド（ＰＰＳ）樹脂、ポリエチレン（ＰＥ）樹脂などを挙げることができる。本発明の場合、良好な接着性を有しない非極性樹脂からなる被着体を接合目的で使用可能となすことに、接合面の粗面化処理及びそれによるアンカー効果の発現が技術的意義をもっている。
【００２４】
被着体は、任意の形状及び寸法を有することができる。少なくとも２つの被着体（本発明では、「構成部材」ともいう。）を組み合わせ、それらの被着体の接合面どうしを接合することにより、任意の所望の形状及び寸法をもった被着体を製造することができる。例えば、構成部材は、矩形部材、円柱形部材、円板形部材、湾曲部材など、接合物品の形状に応じてさまざまな形状を有することができる。また、構成部材の寸法も、所望とする接合物品の寸法に応じて、広い範囲で変更することができる。構成部材の寸法は、例えばそれを長さについて規定した場合、約５〜１０ｃｍの小サイズのものから、約５０〜１００ｃｍもしくはそれ以上、さらには約２００ｃｍもしくはそれ以上の大サイズのものまで、さまざまな寸法を有することができる。
【００２５】
本発明の接合物品では、第１及び第２の被着体を接合して接合物品を製造したとき、第１及び第２の被着体のうちの少なくとも一方の被着体の接合面が、被着体の成形に先がけてベース材料中にフィラーとして分散せしめられていた水溶性ＰＶＡ繊維の除去により形成された細長い凹部に由来する粗面化面を有しており、該凹部に接着剤が充填され、硬化せしめられていることを特徴とする。すなわち、本発明で使用される被着体は、それを構成する合成樹脂中に予め水溶性ＰＶエー繊維がフィラーとして分散せしめられていることを必要とする。
【００２６】
本発明では特に、水溶性ポリビニルアルコール（ＰＶＡ）繊維をフィラーとして使用する。ここで使用する水溶性ＰＶＡ繊維は、それを含む出発材料を成形することで被着体が形成されるので、一般的には成形温度において安定であることが好ましいけれども、これに限定されるものではない。例えば、成形温度で融解して被着体内に気泡を生じ得るような材料は、形成された気泡が得られる接合物品の特性に悪影響を及ぼすとき、フィラーとして使用することは好ましくない。よって、水溶性ＰＶＡ繊維は、ある合成樹脂を使用して被着体を成形するとき、通常、その合成樹脂の成形温度を上回る融点を有していることが好ましい。また、場合によっては、水溶性ＰＶＡ繊維の融点が、合成樹脂の成形温度と同一もしくはそれを下回っていてもよい。例えば、成形時にフィラーが溶融しても、その溶融フィラーが樹脂中でガス化せずにそのまま固化する場合もあり、そのような場合には、本発明によるフィラー配合の機能が発現されるからである。本発明で使用する水溶性ＰＶＡ繊維は、通常、約１８０〜２３０℃の融点を有していることが好ましい。なぜなら、例えば併用する合成樹脂がポリプロピレン樹脂であるとき、この樹脂のペレット製造温度は２００℃を超えるため、それよりも低い融点を有する重合体由来のＰＶＡ繊維が好適であるからである。
【００２７】
また、水溶性ＰＶＡ繊維は、凹部をもった被着体を最終的に得るため、水処理により接合面から溶解除去されて接合面の粗面化を達成するに足る水溶性を有していることが好ましい。換言すると、水溶性ＰＶＡ繊維は、水への溶解度が適切であることが好ましい。
【００２８】
本発明の実施において、フィラーとして使用される水溶性ＰＶＡ繊維は、被着体形成のための合成樹脂に十分に分散することができ、被着体の形成後には水処理によりその表面から十分に溶解除去することができる。また、水溶性ＰＶＡ繊維は、被着体の形成時に適用される成形温度において溶融することがないということを必須の要件とするものではないけれども、ＰＶＡ繊維の融点は通常約１８０〜２３０℃であるので、これらのフィラーを使用したときの成形温度は通常２３０℃を下回ることが好ましい。
【００２９】
水溶性ＰＶＡ繊維は、任意の形態及びサイズ（繊維長及び断面直径）を有することができるけれども、合成樹脂中に分散させるのに好適な形態及びサイズを有することが好ましい。水溶性ＰＶＡ繊維の形態は、好ましくは、微細な細長い繊維状粒子の形態である。水溶性ＰＶＡ繊維は、通常、それを配合して成形された被着体において、約０．１〜５ｍｍの長さをもった微細な細長い繊維の形態で分散していることが好ましい。ＰＶＡ繊維の繊維長が５ｍｍを上回ると、成形時の流動性が低下して充填不良などが発生し、成形性が悪化するので好ましくない。ＰＶＡ繊維の繊維長は、さらに好ましくは、約０．１〜３ｍｍの範囲である。また、ＰＶＡ繊維の断面直径は、通常、約１０〜３０μｍである。断面直径が小さすぎると、満足し得る粗面化を達成することができず、反対に断面直径が大きすぎると、水に溶解する速度が低下して凹部の形成に時間がかかったり満足な形状をもった凹部を形成することができない。
【００３０】
水溶性ＰＶＡ繊維の配合量は、合成樹脂の種類や流動性、水への溶解度、水の適用手段及び温度などのファクタ、特に合成樹脂の流動性に依存して変動するというものの、通常、それを配合して成形された被着体の全量を基準にして、約１０〜４０重量％の範囲であり、好ましくは約１０〜３０重量％の範囲である。配合量が１０重量％を下回ると、接着強度が低くなり、反対に配合量が４０重量％を上回ると、樹脂分が少なくなることに原因してペレットの製造ができなくなる。
【００３１】
水溶性ＰＶＡ繊維は、好ましくは、ＰＶＡ系重合体から得られる合成繊維である。ＰＶＡ系重合体としては、例えば、低ケン化ＰＶＡ、カルボン酸変性ＰＶＡ、アリルアルコール変性ＰＶＡなどの重合体を挙げることができる。かかる重合体の平均重合度は、通常、約８００〜２４００の範囲である。
【００３２】
水溶性ＰＶＡ繊維は、任意の常用の手法を使用して製造することができる。例えば、所定のケン化度及び重合度をもったＰＶＡ系重合体から例えば濃度３０〜６０％の紡糸原液を調製した後、所定の開口を有するノズルを使用して、例えば約５０ｍ／分の紡糸速度で、例えば約２００〜５００％の延伸率及び約１００〜１５０℃の延伸−熱処理温度で乾式もしくは半溶融紡糸を行うことによってＰＶＡ繊維を製造することができる。
【００３３】
凹部を接合面に有する被着体は、慣用の手法を使用して製造することができる。かかる被着体は、通常、下記の工程：
被着体の形成に使用される成形材料を合成樹脂、水溶性ＰＶＡ繊維（フィラー）及び任意の添加剤から調製すること、
調製された成形材料からフィラー含有被着体を成形すること、
フィラー含有被着体の少なくとも接合面に水を適用することで、接合面に露出したフィラーを水洗により除去して凹部を形成し、接合面を粗面化すること
を順次実施することによって行うことができる。また、必要に応じて、上記の順序を変更したり、追加の工程を加入したりしてもよい。
【００３４】
（成形材料の調製）
被着体の形成に使用される成形材料を合成樹脂、水溶性ＰＶＡ繊維及び任意の添加剤から調製する。合成樹脂と水溶性ＰＶＡ繊維は、上記した通りである。必要に応じて配合される添加剤は、プラスチック工業において慣用の添加剤を包含する。適当な添加剤として、以下に列挙するものに限定されないけれども、例えば、可塑剤、帯電防止剤、界面活性剤、安定剤、紫外線吸収剤、着色剤、離型剤などを挙げることができる。これらの添加剤は、所望とする効果に応じて、任意の量で配合することができる。
【００３５】
成形材料として準備した合成樹脂、水溶性ＰＶＡ繊維等の原料成分を例えば混練機に装入して均一に配合する。混練時、すべての原料成分を一括して装入してもよく、さもなければ、原料成分を複数のバッチに分けて、それぞれのバッチを所定の順序で時間差をもって装入してもよい。次いで、例えば、混練機から吐出された溶融混練材料を冷却機で冷却し、さらにカッターで細断してペレット化する。ここで、ペレット化のため、通常、ストランドカット法やホットカット法を使用することができる。ストランドカット法では、溶融混練材料を混練機からロープ状に押し出し、得られた溶融状態のストランドを水冷し、さらに付着した水分をストランドから飛散させる。次いで、カッターを使用して、ストランドを等間隔で切断して円筒状のペレットとなす。ホットカット法では、混練機からの溶融状態のストランドを押し出した瞬間にカッターで切断し、直ちに水冷して球状（無定形）のペレットとなす。得られるペレットは、成形しやすいように粒子の形態をもっており、その長さは、通常、約２〜１０ｍｍである。また、必要ならば、ペレットに代えて、その他の形態で成形材料を調製してもよい。例えば、成形材料として例えばフェノール樹脂などの熱硬化性樹脂を使用したとき、水溶性ＰＶＡ繊維を配合した後で溶融し、シート状物を成形してもよい。この場合には、シート状成形材料を数ｍｍ程度の大きさに粉砕した後で成形工程に供することができる。
【００３６】
（被着体の成形）
成形材料のペレットを調製した後、慣用の成形機を使用して所望の形状及びサイズをもった被着体（接合部品の構成部材）を成形する。ここで使用する成形機は、被着体の種類などに応じて任意に使い分けることができ、例えば、射出成形機、圧縮成形機、射出圧縮成形機、トランスファー成形機などを挙げることができる。図２（Ａ）は、製造済みの被着体の前駆体（成形体）１’の断面図である。前駆体１’は、被着体製造のための出発材料に予め「水溶性ＰＶＡ繊維」を配合しておいて、それを混練し、細断することで得られたペレットから製造されたものである。得られた被着体は、図示される通り、被着体（正確には、被着体の前駆体１’）中に水溶性ＰＶＡ繊維２が分散せしめられた状態となっている。
【００３７】
（接合面の粗面化）
被着体を成形した後、その接合面に凹部を付与して粗面化する。この粗面化工程のため、フィラー含有被着体の少なくとも接合面を水で処理する。ここで、水処理は、この技術分野で一般的に使用されている任意の手段で実施することができる。例えば、接合面に水や水流を吹き付けるか噴霧することなどによって水処理してもよく、さもなければ、水の入った容器に被着体を浸漬することなどにより水処理してもよい。いずれの水処理の場合にも、被着体のすべての表面が接合面でないときには、被着体の表面のうち接合面とならない部分を予め、例えばマスキングテープのような常用のマスキング手段でマスキングした後、水処理を行うことが好ましい。水処理の結果、接合面に露出したフィラー（水溶性ＰＶＡ繊維）が水で洗い流されて接合面に微細で細長い凹部が形成される。本発明では、接合面にこのように微細で細長い凹部が形成されている状態を、接合面が粗面化されている、と規定する。得られた被着体は、それを図２（Ｂ）で説明すると、凹部３が形成された結果、粗面化された接合面をもった被着体１となる。また、この水処理工程において、水処理の時間や使用する水の温度は、水溶性ＰＶＡ繊維の種類や水への溶解度などのファクタに依存して任意に変更することができ、特定の数値に限定されるものではない。さらに、必要ならば、水処理の効果を促進するため、水中に任意の添加剤、例えばＰＶＡ繊維の水溶性を向上させる補助溶剤などを配合していてもよい。
【００３８】
得られた被着体において、接合面上の微細で細長い凹部は、フィラーとして使用した水溶性ＰＶＡ繊維に対応する形状及びサイズを有することができ、したがって、その長さは、通常、約０．１〜５ｍｍである。凹部の長さが上記の範囲を外れると、水溶性ＰＶＡ繊維を配合することで凹部を形成したことの効果が十分に発揮されないおそれがある。
【００３９】
（接合物品の製造）
本発明では、少なくとも２つの被着体（構成部材）を組み合わせて、それらの構成部材が強固にかつ一体的に接合せしめられた接合物品を製造するとともに、その際使用する被着体の少なくとも１つを、上記のように作製した粗面化された接合面をもった被着体から構成する。すなわち、本発明の実施に当たっては、接合物品の製造に使用される被着体の接合面に極性が付与されていて、接着剤の使用時に十分に高い接着性が発現されるのであれば、その被着体について、上記のような粗面化処理を施さなくてもよく、そのまま合成樹脂製の被着体を使用することができる。また、別法として、もしも被着体が、接着剤の使用時に十分に高い接着性を発現できるのであれば、粗面化されていない上記のような合成樹脂製の被着体を使用することに代えて、金属製あるいはセラミック製の被着体を使用してもよい。なお、粗面化された接合面をもった被着体を２つ用意して接合物品を形成した例は、先に図３を参照して説明した通りである。
【００４０】
接合物品の製造において、被着体どうしの接合のために任意の接着剤を使用することができる。適当な接着剤としては、例えば、エポキシ系接着剤、ポリエステル系接着剤、シリコーン系接着剤、ウレタン系接着剤、アクリル系接着剤、フェノール系接着剤などを挙げることができる。とりわけ、エポキシ系接着剤を有利に使用することができる。これらの接着剤は、任意の厚さで塗布して接着剤層を形成することができる。接着剤層の厚さは、通常、約５０〜５００μｍである。
【００４１】
得られた接合物品では、被着体どうしの接合部の接着強度及び引張強度を同時に向上させることができる。また、本発明者らの知見によれば、接着強度の向上の程度は、被着体にフィラーとして配合した水溶性ＰＶＡ繊維の量にほぼ比例している。なお、接着強度は、より具体的には、せん断強度（「引張破壊強度」ともいう。）で表すことができる。
【実施例】
【００４２】
引き続いて、本発明をその実施例を参照して説明する。なお、本発明は、下記の実施例によって限定されるものではない。
【００４３】
実施例１（本発明例）
被着体及び接合物品の製造
ベース材料として使用するため、ベース材料Ａ：非強化のポリプロピレン（ＰＰ）樹脂粉末（商品名「ＢＺＨ５１」）及びベース材料Ｂ：非強化のポリフェニレンサルファイド（ＰＰＳ）樹脂粉末（商品名「０２２０Ａ９」）を用意した。また、水溶性フィラーとして使用するため、水溶性ポリビニルアルコール（ＰＶＡ）繊維（商品名「ソルブロン（登録商標）」、品番：ＳＦ６６０Ｔ、ニチビ社製）を用意した。このＰＶＡ繊維は、繊維長：約０．１〜５ｍｍ及び断面直径：約１７．７μｍを有する微細繊維の形態で、その融点は、約２３０℃であった。ベース材料Ａ又はＢに異なる量（ベース材料の全量を基準にして、１０，２０及び３０重量％）のＰＶＡ繊維を配合して、それぞれ１０ｋｇの成形材料を調製した。また、比較のため、ＰＶＡ繊維を配合していないベース材料Ａ又はＢからなる成形材料も調製した。
【００４４】
それぞれの成形材料を混練機に装入し、約５分間にわたって混練した。次いで、混練機のダイから押出された溶融成形材料をストランドカット法によりペレット化した。このペレット化のため、溶融成形材料を常温の水中で約１０秒間にわたって水冷した後、カッターで細断した。得られたペレットは、円筒状で、そのサイズは約５ｍｍであった。
【００４５】
引き続いて、得られたペレットを射出成形機に装入して、ＪＩＳ  Ｋ７１３９−２００９に規定される次のような寸法をもったダンベル形状の多目的試験片（ＴＰ）を作製した。なお、２つの同一形状の被着体を接合して接合物品を作製するため、それぞれの試験片について、同一形状のものを２個ずつ作製した。
全長：１５０ｍｍ
タブ間距離：１０８ｍｍ
平行部の長さ：６０ｍｍ
端部の幅：２０ｍｍ
厚さ：４ｍｍ
【００４６】
次いで、それぞれの被着体の接合面（片面）を祖面化するため、接合面に対して水（常温）を吹き付けた。その結果、接合面に露出したＰＶＡ繊維が水で洗い流されて接合面に微細で細長い凹部が形成された。その後、２つの同一形状及び同一構成の被着体（試験片）を接合して接合物品を作製した。接合のためにそれぞれの被着体の接合面に塗布した接着剤は、エポキシ系接着剤（商品名「ＥＸ５８２Ｃ」、アデカ社製）であった。接着剤の硬化を確認した後、得られた接合物品の接合強度を評価するため、２つの試験片を手で引き離すことを試みたところ、両者は強固に接合されていることが確認された。
【００４７】
比較例１（比較例）
前記実施例１に記載の手法を繰り返したが、本例では、比較のため、水溶性ＰＶＡ繊維に代えて、８０１℃の融点、３５．９ｇの水への溶解度（２５℃）及び２０μｍの平均粒径を有する塩化ナトリウム（ＮａＣｌ）粒子を水溶性フィラーとして使用した。ベース材料Ａ又はＢに異なる量（１０，２０及び３０重量％）のＮａＣｌ粒子を配合して、それぞれ１０ｋｇの成形材料を調製した。
【００４８】
それぞれの成形材料を混練機に装入し、混練機のダイから押出された溶融成形材料をペレット化した。得られたペレットは、円筒状で、そのサイズは約５ｍｍであった。次いで、得られたペレットを射出成形機に装入して、ＪＩＳ  Ｋ７１３９−２００９に規定される次のような寸法をもったダンベル形状の多目的試験片（ＴＰ）を作製した。
全長：１５０ｍｍ
タブ間距離：１０８ｍｍ
平行部の長さ：６０ｍｍ
端部の幅：２０ｍｍ
厚さ：４ｍｍ
【００４９】
次いで、それぞれの被着体の接合面（片面）を祖面化するため、接合面に対して水（常温）を吹き付けた。その結果、接合面に露出したＮａＣｌフィラーが水で洗い流されて接合面に微細な凹部が形成された。その後、２つの被着体（試験片）を接合して接合物品を作製した。接合のためにそれぞれの被着体の接合面に塗布した接着剤は、エポキシ系接着剤（商品名「ＥＸ５８２Ｃ」、アデカ社製）であった。接着剤の硬化を確認した後、得られた接合物品の接合強度を評価するため、２つの試験片を手で引き離すことを試みたところ、両者は強固に接合されていることが確認された。
【００５０】
実施例２
接合物品の評価試験
前記実施例１及び比較例１においてベース材料Ａ（ＰＰ樹脂）を使用して作製した接合物品について、ＪＩＳ  Ｋ７１６１−１９９３に準拠して接合物品の接着強度（せん断強度）及び引張強度を測定した。
【００５１】
（接着強度の測定）
それぞれの接合物品（接合された試験片）を一定速度で引っ張り、その間に接合物品にかかる荷重と伸びを測定し、得られた測定値から接着部のせん断強度（ＭＰａ）を求めた。次の第１表に記載の測定結果が得られた。また、第１表に記載の測定結果をプロットしたところ、図４に示すグラフが得られた。このグラフから、本発明によれば、水溶性ＰＶＡ繊維をフィラーとして配合した結果、水溶性ＮａＣｌフィラーを配合した場合（ＣＥ１）と同等もしくはそれ以上の接着強度を達成できることがわかる。なお、図４において、曲線Ｅ１は実施例１を意味し、曲線ＣＥ１は比較例１を意味する。
【００５２】
【表１】
2014073579.tif 000003
【００５３】
（引張強度の測定）
それぞれの接合物品（接合された試験片）を一定速度で引っ張り、その間に接合物品にかかる荷重と伸びを測定し、得られた測定値から接着部の引張強度（ＭＰａ）を求めた。次の第２表に記載の測定結果が得られた。また、第２表に記載の測定結果をプロットしたところ、図５に示すグラフが得られた。このグラフから、本発明によれば、水溶性ＰＶＡ繊維をフィラーとして配合した結果、水溶性ＮａＣｌフィラーを配合した場合（ＣＥ１）と比較して格段に優れた引張強度を達成できることがわかる。すなわち、本発明では、接着性を向上できるだけにとどまらず、あわせて強度の低下を防止することができる。なお、図５において、曲線Ｅ１は実施例１を意味し、曲線ＣＥ１は比較例１を意味する。
【００５４】
【表２】
2014073579.tif 000004
【産業上の利用可能性】
【００５５】
本発明の接合物品は、被着体どうしの優れた接着強度及び引張強度に依存して、いろいろな用途で有利に利用することができる。適当な用途としては、以下に列挙するものに限定されないが、自動車部品、例えばエアコンケース、ファンシュラウド、車室内部材などを挙げることができる。また、その他の自動車部品としては、例えば、バンパー、フロントエンジンモール、タンク、ファンなどを挙げることができる。自動車部品以外の例としては、例えば、ファン、家電製品の筐体、ハンガーなどを挙げることができる。
【符号の説明】
【００５６】
１    被着体
１ａ    粗面化面
２    水溶性ＰＶＡ繊維
３    凹部
４    マスキングテープ
５    接着剤層
１０    接合物品
【図１】
2014073579.tif 000005
【図２】
2014073579.tif 000006
【図３】
2014073579.tif 000007
【図４】
2014073579.tif 000008
【図５】
2014073579.tif 000009